(57)【要約】【課題】差込カードの持っているロック、アンロックの情報を、人もデジタル機器も自動的に認識できるアダプタを提供することを課題とする。【解決手段】デジタル機器に伝達する情報を記憶した差込カード用のアダプタにおいて、ケース本体ａには、挿入された差込カードｃの有するロックあるいはアンロック情報を読み取る読み取り手段と、この読み取り手段で読み取ったロックあるいはアンロック情報を書き込み防止部に伝達する伝達手段とを備えている。【選択図】  図５
2004334478.tif 000002
【特許請求の範囲】
【請求項１】
デジタル機器に伝達する情報を記憶した差込カード用のアダプタにおいて、ケース本体には、挿入された差込カードの有するロックあるいはアンロック情報を読み取る読取り手段と、この読取り手段で読み取ったロックあるいはアンロック情報を書き込み防止手段に伝達する伝達手段とを備えたアダプタ。
【請求項２】
読取り手段は、差込カード側のロックあるいはアンロック情報であるコマの位置を検出するとともに、そのコマの位置に応じて伝達手段に連係したりしなかったりする構成にし、読取り手段が伝達手段に連係しているかあるいは連係していないかに応じて、書き込み防止手段をロックあるいはアンロックにする請求項１記載のアダプタ。
【請求項３】
ケース本体には、書き込み防止手段と一体に移動するスライダからなる伝達手段を設けるとともに、この伝達手段には読取り手段を回動自在に設け、ケース本体に差込カードを挿入したときにこの差込カードが伝達手段上に挿入される関係にする一方、差込カードが伝達手段上に挿入されたとき、読取り手段が回動して差込カードに設けたコマの位置を検出するとともに、この読取り手段はコマに掛止められて差込カードと一体に移動しながら伝達手段を介して書き込み防止手段をロックあるいはアンロック状態にセットするか、あるいはコマから離れてアンロックあるいはロック状態にセットする構成にした請求項１または２記載のアダプタ。
【請求項４】
ケース本体には、書き込み防止手段と一体に回動する回動片からなる伝達手段を設けるとともに、読取り手段は差込カードと連係してその差込方向に移動する関係にする一方、読取り手段は差込カードに設けたコマの位置に応じて、上記回動片に対して掛止め状態あるいは非掛止め状態を維持し、掛止め状態において、差込カードの挿入方向に移動しながら伝達手段を回動させて書き込み防止手段をロックあるいはアンロック状態にセットし、非掛止め状態において伝達手段から離れて書き込み防止手段をアンロックあるいはロック状態にセットする構成にした請求項１または２記載のアダプタ。
【請求項５】
伝達手段は、電気的なアクチュエータからなり、読み取り段は、差込カードに設けたコマの位置に応じてオン・オフする電気的なスイッチ機構からなる請求項１記載のアダプタ。
【請求項６】
伝達手段をソレノイドで構成し、読取り手段であるスイッチ機構ががオンになったとき、ソレノイドが励磁して書き込み防止手段をロックアンロック状態にし、ソレノイドが非励磁のとき、書き込み防止手段をアンロックあるいはロック状態に保つ構成にした請求項５記載のアダプタ。
【請求項７】
伝達手段を形状記憶合金からなる電熱線で構成し、通電時あるいは非通電時における伝達手段の伸縮によって、書き込み防止手段をロックあるいはアンロックにする請求項５記載のアダプタ。
【請求項８】
伝達手段は、電気的なアクチュエータからなり、読取り手段は、差込カードに設けたコマの色を判定するセンサーからなる請求項１記載のアダプタ。
【請求項９】
デジタル機器に伝達する情報を記憶した差込カード用のアダプタにおいて、ケース本体には、挿入された差込カードが有するロックあるいはアンロック情報を読み取る電気的なスイッチ機構からなる読取り手段と、この読取り手段で読み取ったロックあるいはアンロック情報に応じて、デジタル機器側にロックあるいはアンロック情報を伝達する制御回路とを備えたアダプタ。
【請求項１０】
読取り手段が読み取ったロックあるいはアンロックの状態をケース本体の外側に表示する表示手段を備えた請求項９記載のアダプタ。
【発明の詳細な説明】
【０００１】
【発明の属する技術分野】
この発明は、デジタル機器に伝達する情報を記憶した差込カード用のアダプタに関する。
【０００２】
【従来の技術】
最近のデジタル機器は、そのデジタル機器で取り込んだ情報をメモリーカードである差込カードに記憶させ、それを他のデジタル機器に差し込んで、当該他のデジタル機器で上記情報を利用するシステムが採用されている。
このようにしたデジタル機器用の差込カードは、例えば、デジタル機器同士のメーカーが違うと、それらの寸法等も異なるのが通常である。そこで、このような場合に、差込カードをアダプタに差し込んで、上記のようなメーカーが違うカードも使用できるようにしている。
【０００３】
【発明が解決しようとする課題】
ただし、従来のアダプタは、差込カードが持っている書き込み禁止情報あるいは書き込み可能情報を、人もデジタル機器側も認識できなかった。つまり、差込カードをアダプタに差し込んでしまえば、差込カードがアダプタに隠れてしまうので、アダプタからは、上記したように書き込み禁止であるロック状態にあるのか、あるいは書き込み可能であるアンロック状態にあるのか、まったく認識できなかった。そのために、差込カードに記憶されている情報を、消去したり、その情報の上から他の情報を上書きしたりすることが発生していた。
この発明の目的は、差込カードの持っているロック、アンロックの情報を、人もデジタル機器も自動的に認識できるアダプタを提供することである。
【０００４】
【課題を解決するための手段】
第１の発明は、デジタル機器に伝達する情報を記憶した差込カード用のアダプタにおいて、ケース本体には、挿入された差込カードの有するロックあるいはアンロック情報を読み取る読取り手段と、この読取り手段で読み取ったロックあるいはアンロック情報を書き込み防止手段に伝達する伝達手段とを備えた点に特徴を有する。
【０００５】
第２の発明は、読取り手段が、差込カード側のロックあるいはアンロック情報であるコマの位置を検出するとともに、そのコマの位置に応じて伝達手段に連係したりしなかったりする構成にし、読取り手段が伝達手段に連係しているかあるいは連係していないかに応じて、書き込み防止手段をロックあるいはアンロックにする点に特徴を有する。
【０００６】
第３の発明は、ケース本体に、書き込み防止手段と一体に移動するスライダからなる伝達手段を設ける。そして、この伝達手段には読取り手段を回動自在に設け、ケース本体に差込カードを挿入したときにこの差込カードが伝達手段上に挿入される関係にする。一方、差込カードが伝達手段上に挿入されたとき、読取り手段が回動して差込カードに設けたコマの位置を検出するとともに、この読取り手段はコマに掛止められて差込カードと一体に移動しながら伝達手段を介して書き込み防止手段をロックあるいはアンロック状態にセットするか、あるいはコマから離れてアンロックあるいはロック状態にセットする構成にした点に特徴を有する。
【０００７】
第４の発明は、ケース本体には、書き込み防止手段と一体に回動する回動片からなる伝達手段を設ける。そして、読取り手段は差込カードと連係してその差込方向に移動する関係にする。一方、読取り手段は差込カードに設けたコマの位置に応じて、上記回動片に対して掛止め状態あるいは非掛止め状態を維持し、掛止め状態において、差込カードの挿入方向に移動しながら伝達手段を回動させて書き込み防止手段をロックあるいはアンロック状態にセットし、非掛止め状態において伝達手段から離れて書き込み防止手段をアンロックあるいはロック状態にセットする構成にした点に特徴を有する。
【０００８】
第５の発明は、伝達手段が、電気的なアクチュエータからなり、読み取り段は、差込カードに設けた差込カードに設けたコマの位置に応じてオン・オフする電気的なスイッチ機構からなる点に特徴を有する。
【０００９】
第６の発明は、伝達手段をソレノイドで構成し、読取り手段であるスイッチ機構ががオンになったとき、ソレノイドが励磁して書き込み防止手段をロックアンロック状態にし、ソレノイドが非励磁のとき、書き込み防止手段をアンロックあるいはロック状態に保つ構成にした点に特徴を有する。
【００１０】
第７の発明は、伝達手段を形状記憶合金からなる電熱線で構成し、通電時あるいは非通電時における伝達手段の伸縮によって、書き込み防止手段をロックあるいはアンロックにする点に特徴を有する。
第８の発明は、伝達手段は、電気的なアクチュエータからなり、読取り手段は、差込カードに設けたコマの色を判定するセンサーからなる点に特徴有する。
【００１１】
第９の発明は、デジタル機器に伝達する情報を記憶した差込カード用のアダプタにおいて、ケース本体には、挿入された差込カードが有するロックあるいはアンロック情報を読み取る電気的なスイッチ機構からなる読取り手段と、この読取り手段で読み取ったロックあるいはアンロック情報に応じて、デジタル機器側にロックあるいはアンロック情報を伝達する制御回路とを備えた点に特徴を有する。
第１０の発明は、読取り手段が読み取ったロックあるいはアンロックの状態をケース本体の外側に表示する表示手段を備えた点に特徴を有する。
【００１２】
【発明の実施の形態】
図１〜図８に示した第１実施形態は、アダプタのケース本体ａにカード挿入口１を形成し、このカード挿入口１からメモリーカード等の差込カードｃを挿入するようにしている。
【００１３】
上記差込カードｃの一方の面、図１から見れば裏面には、図２〜４に示すように、接続端子２とスライド溝３とを設けるとともに、スライド溝３にはコマ４を移動可能に設けている。そして、このコマ４は、図３に示すように、カードｃをカード挿入口１に差し込む挿入方向（矢印５方向）前方にあるとき、差込カードのロック状態を示している。したがって、この状態においては、差込カードｃには新たな情報が書き込めないことになる。一方、上記コマ４が、図４に示すように、挿入方向（矢印５方向）後方にあるときには、差込カードのアンロック状態を示している。したがって、この状態において差込カードｃに新たな情報を自由に書き込めることになる。
【００１４】
上記ケース本体ａには、図５〜図８に示すように、この発明の伝達手段であるスライダ６を設けている。このスライダ６には複数の接続端子７を設けるとともに、ケース本体ａに設けたストッパー８，９間でスライドできるようにしている。なお、ケース本体ａの奥の側に設けたストッパー９にはスプリング１０を組み込んだスプリング穴１１を設け、このスプリング穴１１に、スライダ６に設けた凸部１２を摺動自在に挿入している。したがって、スライダ６は、スプリング１０のバネ力で、通常は、ストッパー８に接触するノーマル位置を保つ。そして、スライダ６に前記挿入方向５の力が作用したとき、スライダ６はスプリング１０のバネ力に抗してストッパー９に当たるまで移動できる。
【００１５】
上記のようにしたスライダ６には、この発明の書き込み防止手段である突片１３を一体に設けている。この突片１３は、スライダ６が図５に示すノーマル位置にあるとき、ケース本体ａ内に隠れる。しかし、スライダ６がスプリング１０のバネ力に抗して移動すると、この突片１３がケース本体ａの側面に形成した切欠き部１４に露出することになる。このように突片１３が切欠き部１４から露出したときには、書き込み禁止状態を意味するとともに、この露出した突片１３はデジタル機器に対しても書き込み禁止の信号となる。言い換えると、図５に示したようにスライダ６がカード挿入口１に近い方のストッパー８に接触しているノーマル位置にあるときには、突片１３がケース本体ａに隠れて書き込み可能状態すなわちアンロック状態になり、図７に示したようにスライダ６がスプリング１０のバネ力に抗して、カード挿入口１から遠い方のストッパー９に接触しているときには、突片１３が切欠き部１４から露出して書き込み禁止状態すなわちロック状態になる。
【００１６】
さらに、上記スライダ６には、この発明の読取り手段である回動レバー１５を設けている。この回動レバー１５は、図６に示すように、差込カードｃを挿入していないとき、レバー先端をストッパー８よりもカード挿入口１寄りのケース本体ａの底板に接触し、レバー後端を差込カードｃの挿入軌跡内に突出させるようにしている。したがって、差込カードｃをカード挿入口から挿入したときに、回動レバー１５はその後端が差込カードｃに当たって回動し、図７、８に示すように、ほぼ水平に保たれる。
なお、上記回動レバー１５はその支点となる回転軸部に図示していないバネの力を作用させ、通常は、図６に示すように、その読取り部１５ａがケース本体ａの底板に接触するようにしている。
【００１７】
上記のようにした回動レバー１５の先端には、鈎状の読取り部１５ａを形成する一方、前記コマ４には、前記挿入方向５前方に凹部４ａを形成している。そして、上記読取り部１５ａは、上記した水平状態にあるとき、上記読取り部１５ａがスライド溝３内に位置するようにしているが、読取り部１５ａとスライド溝３との相対関係は次のようにしている。
【００１８】
すなわち、スライド溝３内のコマ４は、差込カードｃが図７，８に示すように、奥側のストッパー９に接触した状態において、上記読取り部１５ａが、スライド溝内であってかつ上記矢印５の前後方向中央に位置するようにしている。ただし、差込カードｃを挿入している過程で、そのカードの挿入方向先端が回動レバー１５の後端に当って徐々に回動し、最終的に水平状態になるが、その水平状態になった瞬間は、上記読取り部１５ａがガイド溝３内であって上記挿入方向前方の壁面３ａに近いところに入る関係にしている。
【００１９】
したがって、コマ４が図３に示すように、壁面３ａに接触する書き込み禁止状態すなわちロック状態にあるときには、読取り部１５ａがコマ４の凹部４ａ内に入る。また、コマ４が図４に示すように壁面３ａと対向する壁面３ｂに接触するアンロック状態にあるときには、読取り部１５ａとコマ４との間は十分な間隔が維持されることになる。
ただし、上記のように回動レバー１５が水平になった瞬間には、差込カードｃがストッパー９の手前に位置し、差込カードｃがコマ４の矢印５方向の長さ分だけ移動できる構成にしている。
【００２０】
なお、上記のように回動レバー１５が水平になった瞬間の位置において、差込カードｃに設けた接続端子２と、スライダ６に設けた接続端子７とが接触し、両者は電気的に接続状態になる。
また、図中符号１６はケース本体ａのカード挿入口１の部分に設けたガイド部材で、ケース本体ａに挿入する差込カードｃを、スライダ６と同レベルに保つためのものである。
【００２１】
次に、この第１実施形態の作用を説明するが、まず最初に、コマ４を図３に示すロック状態にして差込カードｃをケース本体ａに差し込む場合について説明する。
差込カードｃをケース本体ａに差し込むと、差込カードｃの挿入方向先端が回動レバー１５の後端部分に当たり、それを回動して水平状態にする。回動レバー１５が水平になった瞬間に、レバー先端の読取り部１５ａが、壁面３ａと凹部４ａとの間に入るが、この状態において、両接続端子２，７が接触して電気的に接続される。また、回動レバー１５が水平になった瞬間の状態は、先にも説明したように、差込カードｃがストッパー９の手前に位置して、差込カードｃがコマ４の矢印５方向の長さ分だけ移動できる。
【００２２】
そこで、差込カードｃを上記コマ４の長さ分だけ移動すると、回動レバー１５がコマ４に押されるようにして移動するが、この回動レバー１５の移動にともなってスライダ６も、スプリング１０のバネ力に抗して移動する。そして、図７に示すようにスライダ６がストッパー９に接触して停止したとき、スライダ６に設けた突片１３が切欠き部１４から露出する。このように切欠き部１４から突片１３が露出したときは、この露出した突片１３が、図示していないデジタル機器に対して、書き込み禁止指令となる。また、突片１３が露出することによって、人もロック状態を目視できる。
【００２３】
一方、コマ４を図４に示すアンロック状態にして差込カードｃをケース本体ａに差し込むと、差込カードｃの挿入方向先端が回動レバー１５の後端部分に当たり、それを回動して水平状態にするとともに、回動レバー１５が水平になった瞬間に、レバー先端の読取り部１５ａが壁面３ａ側に位置し、コマ４との間に十分な間隔が保たれる。なお、この状態において、両接続端子２，７が接触して電気的に接続されることは、前記ロック状態のときと同様である。また、回動レバー１５が水平になった瞬間の状態は、先にも説明したように、差込カードｃがストッパー９の手前に位置して、差込カードｃがコマ４の矢印５方向の長さ分だけ移動できることも同様である。
【００２４】
そこで、差込カードｃを上記コマ４の長さ分だけ移動すると、回動レバー１５の読取り部１５ａは、コマ４に当たるまでそのコマ４の長さ分だけスライド溝３内を相対移動する。このように読取り部１５ａがコマ４に当たるまでスライド溝３内を相対移動するので、スライダ６は、図８に示すように移動せずに、書き込み可能状態すなわちアンロック状態を保つ。このアンロック状態においては、突片１３が切欠き部１４には露出しない。このように切欠き部１４から突片１３が切欠き部１４から露出しないが、この状態においては、図示していないデジタル機器に対して、書き込み可能指令となる。また、突片１３が隠れているということによって、人もアンロック状態を目視できる。
【００２５】
なお、上記第１実施形態において、スライダ６をスプリング１０のバネ力に抗して移動したときにロック状態にし、スライダ６が移動していないときにはアンロック状態にしたが、それはいずれも相対的な関係なので、スライダ６をスプリング１０のバネ力に抗して移動したときにアンロック状態にし、スライダ６が移動していないときにはロック状態にしてもよいこと当然である。
【００２６】
また、この第１実施形態では、接続端子７をスライダ６に設けているが、接続端子７は、必ずしもスライダ６に設けることはない。ケース本体ａに、上記差込カードｃを挿入したときに、接続端子２と接続可能な位置であれば、ケース本体ａ側のどこに設けてもかまわない。
さらに、上記差込カードｃの中で、回動レバー１５に接触して、上記回動レバー１５を回動させる部分は、差込カードｃのどの部分でもかまわない。ただし、差込カードｃがケース本体ａに挿入される過程で、上記回動レバー１５が接続端子２を擦って傷つけてしまわない位置に、回動レバー１５を設けるようにすることが好ましい。
【００２７】
次に、図９〜図１５に示した第２実施形態について説明する。
図９に示すように、ケース本体ａには、保持部材１８を組み込んでいるが、この保持部材１８は、その平板１８ａの両側にサイド片１８ｂ，１８ｂを設けるとともに、上記平板１８ａに複数の接続端子１７を設けている。そして、上記一対のサイド片１８ｂ，１８ｂの対向面には、ガイド溝１８ｃ，１８ｃを形成している。
【００２８】
上記のようにした保持部材１８には、読取り手段である可撓性を有する読取り片１９を設けているが、この読取り片１９はその先端に掛止め部１９ａを設け、この掛止め部１９ａとは反対側に読取り凸部１９ｂを設けている。さらに、この読取り片１９の後端には連係部１９ｃを設けているが、この連係部１９ｃは、ケース本体ａのカード挿入口１から挿入した差込カードｃの先端が当たる関係にしている。そして、差込カードｃの先端が連係部１９ｃに当たった状態では、読取り凸部１９ｂが、当該差込カードｃに設けたスライド溝３の壁面３ａ側ほぼ半分に対向する寸法関係にしている。
【００２９】
そして、読取り片１９の後端であって、上記連係部１９ｃとは反対面に、読取り片１９に対して直交するスライド部材２０を固定している。このスライド部材２０の両端は、前記した保持部材１８のガイド溝１８ｃ，１８ｃにはめ込まれ、このガイド溝１８ｃ，１８ｃに沿って移動するようにしている。ただし、このスライド部材２０には、図示していないスプリングのバネ力を作用させ、通常は、図９に示すノーマル位置であるカード挿入口１側に寄った位置を保つようにしている。
【００３０】
さらに、ケース本体ａには、回動片２１を回動可能に設けている。この回動片２１は、ケース本体ａの天井部分に固定した支持軸２２を中心回動可能にしているが、この回動片２１には図示していないスプリングのバネ力を作用させ、通常は、図９に示すノーマル位置を保つようにしている。このようにしたこの回動片２１の先端には、この発明の書き込み防止である突片２３を設けている。
そして、回動片２１が上記したノーマル位置にあるとき、突片２３が、ケース本体ａに形成した切欠き部２４に対してアンロック位置を保ち、突片２３が上記スプリングのバネ力に抗して回動したとき、突片２３が切欠き部２４に対してロック位置を保つようにしている。
【００３１】
さらに、スライド部材２０および回動片２１のそれぞれが図９に示すノーマル位置にあるとき、読取り片１９の掛止め部１９ａが回動片２１の下方に位置し、その位置から読取り片１９を撓ませながら掛止め部１９ａを押し上げたとき、掛止め部１９ａがノーマル位置にある回動片２１に引っ掛かる構成にしている。
【００３２】
次に、この第２実施形態の作用を説明する。
カード挿入口１から、コマ４をロック状態にした差込カードｃを挿入すると、その差込カードｃの先端が連係部１９ｃに当たったとき、図１４に示すように読取り凸部１９ｂがコマ４で押し上げられた状態を保ち、読取り片１９を強制的に撓ませるが、読取り片１９がこのように撓めば、掛止め部１９ａが回動片２１に引っ掛かる。この状態で、差込カードｃをさらに押し込めば、回動片２１が支持軸２２回りのバネ力に抗して回動し、その突片２３を切欠き部２４に対してロック位置に移動させる。このように切欠き部２４に対して突片２３がロック位置にあるときには、このロック位置にある突片２３が、図示していないデジタル機器に対して、書き込み禁止指令となる。
なお、差込カードｃを完全に押し込んだ位置において、両接続端子２，１７が接触してそれらが電気的に接続される。
【００３３】
一方、カード挿入口１から、コマ４をアンロック状態にした差込カードｃを挿入すると、その差込カードｃの先端が連係部１９ｃに当たったとき、図１５に示すように読取り凸部１９ｂがスライド溝３内に落ち込む。このように読取り凸部１９ｂがスライド溝３に落ち込んだ状態では、読取り片１９が撓まないので、その掛止め部１９ａは回動片２１の下方に位置する。したがって、読取り片１９が移動しても回動片２１を回動させることはなく、突片２３をアンロック位置に保つことになる。このアンロック位置にある突片２３が、図示していないデジタル機器に対して、書き込み可能指令となる。
なお、上記読取り片１９、掛止め部１９ａおよび回動片２１のそれぞれが相まって、この発明の伝達手段を構成するものである。
【００３４】
なお、上記第２実施形態においても、回動片２１を回動させたときにロック状態にし、回動片２１を回動させないときにはアンロック状態にしたが、それはいずれも相対的な関係なので、回動片２１を回動したときアンロック状態にし、回動片２１を回動しないときにロック状態にしてもよいこと当然である。
また、この実施形態においても、突片２３の位置によって、ロックあるいはアンロックの状態を目視できる。
【００３５】
次に、図１６〜図１９に示した第３実施形態について説明する。
この第３実施形態は、書き込み防止手段２５を動かす伝達手段として、電気的なアクチュエータであるソレノイド２６を利用したものである。すなわち、ソレノイド２６のロッド２７を、回動部材２８に連係するとともに、この回動部材２８の先端に上記書き込み防止手段２５を設けたものである。そして、ソレノイド２６を励磁したとき、ロッド２７の引く力で回動部材２８を回動させ、書き込み防止手段２５をロック位置に移動させる。
したがって、これらソレノイド２６および回動部材２８でこの発明の伝達手段を構成することになる。
【００３６】
上記のようにしたソレノイド２６をオン・オフさせるための読取り手段は、図１８，１９に示したスイッチ機構ｓを用いている。このスイッチ機構ｓは、一対の接点２９，３０からなり、差込カードｃ側に位置する一方の接点２９は、その先端に読取り凸部２９ａを設けている。そして、この読取り凸部２９ａと、差込カードｃのコマ４との関係は、第２実施形態の読取り凸部１９ｂとまったく同じにしている。したがって、コマ４がロック状態にあるときは、読取り凸部２９ａがコマ４で押し上げられ、コマ４がアンロック状態にあるときは、読取り部２９ａがスライド溝３に落ち込むことになる。
【００３７】
そして、読取り部２９ａがコマ４で押し上げられたときには、図１８に示すように上記スイッチ機構ｓがオンになり、読取り部２９ａがスライド溝３に落ち込んだときには、図１９に示すようにスイッチ機構ｓがオフの状態になる。
ただし、この第３実施形態においては、差込カードｃがケース本体ａに完全に押し込まれて、差込カードｃの接続端子２とケース本体ａ側に設けた図示していない接続端子とが電気的に接続しない限り、ソレノイド２６を励磁させないようにしている。つまり、この第３実施形態では、スイッチ機構ｓがオンになるとともに、接続端子が電気的に接続することを条件にソレノイド２６を励磁させるようにしたものである。このようにすることによって、一方の接点２９が差込カードｃの平面に乗り上げたときに、ソレノイド２６が励磁するのを防止できる。
【００３８】
図２０に示した第４実施形態は、スイッチ機構ｓとして光学センサーを用いたもので、この光学センサーであるスイッチ機構ｓは、スライド溝３の色を判定する。つまり、図示の状態のように、上記スライド溝３と光学センサーとが直接対向しているときには、この光学センサーがスライド溝３の色を識別できる。しかし、コマ４がスライドして、コマ４と光学センサーとが対向しているときには、光学センサーはスライド溝３の色を識別できない。そして、光学センサーがスライド溝３の色を識別したときに、第３実施形態と同様のソレノイド２６を励磁させ、スライド溝３の色を識別できないときにソレノイド２６を励磁させないようにしている。
上記のスイッチ機構以外の構成、すなわち伝達手段および書き込み防止手段の構成は、第３実施形態とまったく同じである。
【００３９】
図２１に示した第５実施形態は、伝達手段を形状記憶合金からなる電熱線３１で構成し、通電時あるいは非通電時における電熱線３１の伸縮によって、書き込み防止手段３２をロックあるいはアンロックにする構成にしたものである。つまり、電熱線３１は、それが縮んだ形態を記憶し、通電して加熱したときその記憶形態を離れて伸長する。そして、通電を遮断して冷えたとき縮んだ状態の形態に戻る。さらに、この実施形態では、図２１からも明らかなように、電熱線３１をジグザグにしているが、これは電熱線３１の長さを長くして、その伸縮量を大きくするためである。
そして、この第５実施形態の読取り手段は、第３実施形態の機械的なスイッチ機構を用いてもよいし、第４実施形態の光学的なスイッチ機構を用いてもよい。
また、上記第３〜５実施形態においても、書き込み防止手段や突片の位置に応じてロックあるいはアンロックの状態を目視できる。
【００４０】
なお、上記第３〜５実施形態のいずれにおいても、スイッチ機構をオンにしたときロック状態にし、スイッチ機構がオフのときアンロック状態にしたが、それはいずれも相対的な関係なので、スイッチ機構がオンのときアンロック状態にし、スイッチ機構がオフのときロック状態にしてもよいこと当然である。
【００４１】
図２２に示した第６実施形態は、ケース本体ａ側に、差込カードｃのロックあるいはアンロックの状態を認識してそれをデジタル機器側に電気的に伝達するための制御回路ｃｓを設けた点が最大の特徴である。そして、この制御回路ｃｓは、ケース本体ａに設けたスイッチ機構ｓからなる読取り手段で、差込カードｃのロック、アンロックを読み取るようにしている。そして、このスイッチ機構ｓは、第３実施形態の機械的なスイッチ機構を用いてもよいし、第４実施形態の光学的なスイッチ機構を用いてもよい。
【００４２】
また、この第６実施形態では、他の実施形態と異なり、突片の位置によってロックあるいはアンロック状態を目視できないが、デジタル機器側へロックあるいはアンロック状態を伝達する機構とは別に、ユーザーがロックあるいはアンロック状態を確認できる手段を設けるようにすればよい。例えば、ケース本体ａに、差込カードｃのコマ４のスライド位置が外部から確認できるような窓を形成したり、表示手段として電気的な発光体を設け、ロック状態のときにこの発光体を発光させたりすることが考えられる。
【００４３】
【発明の効果】
第１〜第８の発明によれば、例えばメーカーなどが異なるデジタル機器に対して同一の差込カードを使うことができる。しかも、差込カードが持っている書き込み防止情報をそのまま反映させられるので、当該差込カードに記憶させた情報を、誤って消去したり、あるいはその情報の上に上書きしてしまうようなことがない。
第９，１０の発明によれば、電気的にロックあるいはアンロックの状態を認識できるので、正確な認識が可能になる。
【図面の簡単な説明】
【図１】第１実施形態のケース本体と差込カードの斜視図である。
【図２】第１実施形態の差込カード裏面側の斜視図である。
【図３】第１実施形態の差込カード側のスライド溝に組み込んだコマがロック位置にある状態を示した斜視図である。
【図４】第１実施形態の差込カード側のスライド溝に組み込んだコマがアンロック位置にある状態を示した斜視図である。
【図５】図１のＶ−Ｖ線断面図である。
【図６】図５のＶＩ−ＶＩ線断面図である。
【図７】第１実施形態のケース本体に差込カードを差し込んだロック状態の断面図である。
【図８】第１実施形態のケース本体に差込カードを差し込んだアンロック状態の断面図である。
【図９】第２実施形態の断面図である。
【図１０】第２実施形態の保持部材の斜視図である。
【図１１】第２実施形態の読取り片の斜視図である。
【図１２】第２実施形態の回動部材の斜視図である。
【図１３】第２実施形態の保持部材の斜視図である。
【図１４】第２実施形態の読取り片と差込カードのコマとの関係を示すもので、ロック状態の説明図である。
【図１５】第２実施形態の読取り片と差込カードのコマとの関係を示すもので、アンロック状態の説明図である。
【図１６】第３実施形態のアンロック状態を示す概略図である。
【図１７】第３実施形態のロック状態を示す概略図である。
【図１８】第３実施形態のスイッチ機構がオンの状態を示す概略図である。
【図１９】第３実施形態のスイッチ機構がオフの状態を示す概略図である。
【図２０】第４実施形態のアンロック状態のスイッチ機構を示す概略図である。
【図２１】第５実施形態のアンロック状態を示す概略図である。
【図２２】第６実施形態の概略図である。
【符号の説明】
ａ      ケース本体
ｃ      差込カード
４      コマ
６      スライダ
１３    書き込み防止手段としての突片
１５    読取り手段としての回動レバー
１９    読取り手段としての読取り片
１９ａ  伝達手段を構成する掛止め部
２０    伝達手段を構成するスライド部材
２１    伝達手段を構成する回動片
２３    書き込み防止手段を構成する突片
２５    書き込み防止手段
２６    ソレノイド
ｓ    スイッチ機構
３０    電熱線
ｃｓ    制御回路
【図１】
2004334478.tif 000003
【図２】
2004334478.tif 000004
【図３】
2004334478.tif 000005
【図４】
2004334478.tif 000006
【図５】
2004334478.tif 000007
【図６】
2004334478.tif 000008
【図７】
2004334478.tif 000009
【図８】
2004334478.tif 000010
【図９】
2004334478.tif 000011
【図１０】
2004334478.tif 000012
【図１１】
2004334478.tif 000013
【図１２】
2004334478.tif 000014
【図１３】
2004334478.tif 000015
【図１４】
2004334478.tif 000016
【図１５】
2004334478.tif 000017
【図１６】
2004334478.tif 000018
【図１７】
2004334478.tif 000019
【図１８】
2004334478.tif 000020
【図１９】
2004334478.tif 000021
【図２０】
2004334478.tif 000022
【図２１】
2004334478.tif 000023
【図２２】
2004334478.tif 000024